(57)【要約】【課題】コードブックを用いた非直交多重化が用いられる場合により良好に通信を行うことを可能にする。【解決手段】コードブックを用いた非直交多重化の対象となる複数のレイヤの各々について、レイヤのためのコードブックに基づいて、当該レイヤのデータから当該レイヤのコードワードを生成する生成部と、上記複数のレイヤのコードワードの多重化により得られる多重化コードワード内の信号要素の送信に使用される無線リソースの調整を行う調整部と、を備える装置が提供される。【選択図】図１３
2016098413.tif 000002
【特許請求の範囲】
【請求項１】
コードブックを用いた非直交多重化の対象となる複数のレイヤの各々について、レイヤのためのコードブックに基づいて、当該レイヤのデータから当該レイヤのコードワードを生成する生成部と、
前記複数のレイヤのコードワードの多重化により得られる多重化コードワード内の信号要素の送信に使用される無線リソースの調整を行う調整部と、
を備える装置。
【請求項２】
前記調整は、複数のレイヤのコードワードからそれぞれ生成される１つ以上の多重化コードワード内の少なくとも２つの信号要素の間で、送信に使用される無線リソースを交換することを含む、請求項１に記載の装置。
【請求項３】
前記１つ以上の多重化コードワードは、２つ以上の多重化コードワードである、請求項２に記載の装置。
【請求項４】
前記１つ以上の多重化コードワードは、単一の多重化コードワードである、請求項２に記載の装置。
【請求項５】
前記調整は、巡回シフトにより、前記少なくとも２つの信号要素の間で、送信に使用される前記無線リソースを交換することを含む、請求項２に記載の装置。
【請求項６】
前記調整は、インターリーブパターンに従って、前記少なくとも２つの信号要素の間で、送信に使用される前記無線リソースを交換することを含む、請求項２に記載の装置。
【請求項７】
前記インターリーブパターンを端末装置に通知する通知部をさらに備える、請求項６に記載の装置。
【請求項８】
前記無線リソースは、周波数リソースである、請求項１に記載の装置。
【請求項９】
前記周波数リソースは、サブキャリアである、請求項８に記載の装置。
【請求項１０】
前記無線リソースは、時間リソースである、請求項１に記載の装置。
【請求項１１】
前記時間リソースは、シンボル、スロット、サブフレーム又は無線フレームである、請求項１０に記載の装置。
【請求項１２】
前記調整部は、時間方向において動的に又は準静的に前記調整を行う、請求項１に記載の装置。
【請求項１３】
前記調整部は、所定の周期で前記調整を行う、請求項１２に記載の装置。
【請求項１４】
前記調整部は、チャネル特性に基づいて前記調整を行う、請求項１２に記載の装置。
【請求項１５】
前記調整部は、前記複数のレイヤに含まれるレイヤの数が所定数を超える場合に、前記調整を行う、請求項１２に記載の装置。
【請求項１６】
前記調整部は、コードワードの所定の組合せが前記複数のコードワードに含まれる場合に、前記調整を行う、請求項１に記載の装置。
【請求項１７】
前記調整に関する情報を端末装置に通知する通知部をさらに備える、請求項１に記載の装置。
【請求項１８】
プロセッサにより、
コードブックを用いた非直交多重化の対象となる複数のレイヤの各々について、レイヤのためのコードブックに基づいて、当該レイヤのデータから当該レイヤのコードワードを生成することと、
前記複数のレイヤのコードワードの多重化により得られる多重化コードワード内の信号要素の送信に使用される無線リソースの調整を行うことと、
を含む方法。
【請求項１９】
複数のレイヤのコードワードの多重化により得られる多重化コードワード内の信号要素の送信に使用される無線リソースの調整に関する情報を取得する取得部と、
前記情報に基づいて、端末装置における受信処理を行う制御部と、
を備え、
前記複数のレイヤは、コードブックを用いた非直交多重化の対象となるレイヤであり、
前記複数のレイヤの前記コードワードの各々は、レイヤのためのコードブックに基づいて当該レイヤのデータから生成されるコードワードである、
装置。
【請求項２０】
コードブックを用いた非直交多重化の対象となるレイヤのためのコードブックに基づいて、当該レイヤのデータから当該レイヤのコードワードを生成する生成部と、
前記コードワード内の信号要素の送信に使用される無線リソースの調整を行う調整部と、
を備える装置。
【発明の詳細な説明】
【技術分野】
【０００１】
本開示は、装置及び方法に関する。
【背景技術】
【０００２】
近年、ＬＴＥ（Long  Term  Evolution）の次の第５世代無線方式のために、新しい無線アクセス方式が様々な方面で検討されている。とりわけ、非直行多重化（Non-Orthogonal  Multiplexing）／非直交多元接続（Non-Orthogonal  Multiple  Access）が検討されている。このような状況の中で、ＳＣＭＡ（Sparse  Code  Multiple  Access）と呼ばれる新たな多元接続方式が提案されている。【０００３】
例えば、非特許文献１には、ＳＣＭＡが開示されている。また、例えば、特許文献１には、ＳＣＡＭのコードブックによるコードワードの生成手法と、当該コードブックの設計手法の例が開示されている。
【先行技術文献】
【特許文献】
【０００４】
【特許文献１】米国特許出願公開第２０１４／０１４０３６０号
【非特許文献】
【０００５】
【非特許文献１】Sparse  Code  Multiple  Access,  in  2013  IEEE  24th  International  Symposium  on  Personal,  Indoor  and  Mobile  Communications
【発明の概要】
【発明が解決しようとする課題】
【０００６】
ＳＣＭＡでは、コードブックに基づいて、複数の信号要素を含むコードワードが生成される。そして、複数のレイヤのコードワード内の各信号要素は、（多重化後に又は多重化前に）対応する無線リソースにマッピングされる。【０００７】
しかし、例えば、特定の無線リソース（例えば、特定の周波数リソース）においてフェージングが大きくなると、特定のレイヤのデータへの影響が大きくなる。その結果、受信側において干渉除去又は復号に失敗し、大きなビット誤りが生じ、再送が必要になり得る。これは、伝送遅延の増大、及び／又はスループットの低下などにつながり得る。【０００８】
そこで、コードブックを用いた非直交多重化が用いられる場合により良好に通信を行うことを可能にする仕組みが提供されることが望ましい。
【課題を解決するための手段】
【０００９】
本開示によれば、コードブックを用いた非直交多重化の対象となる複数のレイヤの各々について、レイヤのためのコードブックに基づいて、当該レイヤのデータから当該レイヤのコードワードを生成する生成部と、上記複数のレイヤのコードワードの多重化により得られる多重化コードワード内の信号要素の送信に使用される無線リソースの調整を行う調整部と、を備える装置が提供される。【００１０】
また、本開示によれば、プロセッサにより、コードブックを用いた非直交多重化の対象となる複数のレイヤの各々について、レイヤのためのコードブックに基づいて、当該レイヤのデータから当該レイヤのコードワードを生成することと、上記複数のレイヤのコードワードの多重化により得られる多重化コードワード内の信号要素の送信に使用される無線リソースの調整を行うことと、を含む方法が提供される。【００１１】
また、本開示によれば、複数のレイヤのコードワードの多重化により得られる多重化コードワード内の信号要素の送信に使用される無線リソースの調整に関する情報を取得する取得部と、上記情報に基づいて、端末装置における受信処理を行う制御部と、を備える装置が提供される。上記複数のレイヤは、コードブックを用いた非直交多重化の対象となるレイヤである。上記複数のレイヤの上記コードワードの各々は、レイヤのためのコードブックに基づいて当該レイヤのデータから生成されるコードワードである。【００１２】
また、本開示によれば、コードブックを用いた非直交多重化の対象となるレイヤのためのコードブックに基づいて、当該レイヤのデータから当該レイヤのコードワードを生成する生成部と、上記コードワード内の信号要素の送信に使用される無線リソースの調整を行う調整部と、を備える装置が提供される。
【発明の効果】
【００１３】
以上説明したように本開示によれば、コードブックを用いた非直交多重化が用いられる場合により良好に通信を行うことが可能になる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１４】
【図１】ＳＣＭＡについての概略的な処理の一例を説明するための説明図である。
【図２】コードブックに基づくコードワードの生成の例を説明するための説明図である。
【図３】コードブックの例を説明するための説明図である。
【図４】コードブックのリソースマッピングの例を説明するための説明図である。
【図５】キャリア周波数帯域全体に含まれるサブキャリアの数をコードワードの長さとするケースの例を説明するための説明図である。
【図６】ブロックに含まれるサブキャリア数をコードワードの長さとするケースの例を説明するための説明図である。
【図７】３レイヤのコードワードがブロックの無線リソースにマッピングされる例を説明するための説明図である。
【図８】４レイヤのコードワードがブロックの無線リソースにマッピングされる例を説明するための説明図である。
【図９】ＳＣＭＡにおけるフェージングによる影響の例を説明するための説明図である。
【図１０】本開示の実施形態に係るシステムの概略的な構成の一例を示す説明図である。
【図１１】第１の実施形態に係る基地局の構成の一例を示すブロック図である。
【図１２】第１の実施形態に係る端末装置の構成の一例を示すブロック図である。
【図１３】信号要素の間での無線リソースの交換の第１の例を説明するための説明図である。
【図１４】信号要素の間での無線リソースの交換の第２の例を説明するための説明図である。
【図１５】信号要素の間での無線リソースの交換の第３の例を説明するための説明図である。
【図１６】信号要素の間での無線リソースの交換の第３の例を説明するための説明図である。
【図１７】第１の実施形態に係る基地局の動作の第１の例を説明するための説明図である。
【図１８】第１の実施形態に係る基地局の動作の第２の例を説明するための説明図である。
【図１９】第１の実施形態に係る基地局の第１の処理の概略的な流れの一例を示すフローチャートである。
【図２０】第１の実施形態に係る基地局の第２の処理の概略的な流れの一例を示すフローチャートである。
【図２１】第１の実施形態に係る端末装置の処理の概略的な流れの一例を示すフローチャートである。
【図２２】第２の実施形態に係る基地局の構成の一例を示すブロック図である。
【図２３】第２の実施形態に係る端末装置の構成の一例を示すブロック図である。
【図２４】第２の実施形態に係る端末装置の処理の概略的な流れの一例を示すフローチャートである。
【図２５】ｅＮＢの概略的な構成の第１の例を示すブロック図である。
【図２６】ｅＮＢの概略的な構成の第２の例を示すブロック図である。
【図２７】スマートフォンの概略的な構成の一例を示すブロック図である。
【図２８】カーナビゲーション装置の概略的な構成の一例を示すブロック図である。
【発明を実施するための形態】
【００１５】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１６】
なお、説明は以下の順序で行うものとする。
１．はじめに
１．１．ＳＣＭＡ
１．２．技術的課題
２．システムの概略的な構成
３．第１の実施形態
３．１．基地局の構成
３．２．端末装置の構成
３．３．技術的特徴
３．４．処理の流れ
４．第２の実施形態
４．１．基地局の構成
４．２．端末装置の構成
４．３．技術的特徴
４．４．処理の流れ
５．応用例
５．１．基地局に関する応用例
５．２．端末装置に関する応用例
６．まとめ
【００１７】
＜＜１．はじめに＞＞
はじめに、図１〜図９を参照して、ＳＣＭＡ及び技術的課題を説明する。
【００１８】
＜１．１．ＳＣＭＡ＞
まず、図１〜図８を参照して、ＳＣＭＡを説明する。
【００１９】
（１）概略
（ａ）概略的な処理の流れ
図１は、ＳＣＭＡについての概略的な処理の一例を説明するための説明図である。
【００２０】
例えば、ＳＣＭＡでは、誤訂正符号化が行われ、コードブックに基づいて、誤訂正符号化後のデータ（バイナリーデータ）からコードワードが生成される。具体的には、例えば、上記コードブックは、データ候補とコードワードとの対応を示す情報であり、データは、上記コードブックにおいて当該データに対応するコードワードに変換される。なお、レイヤ分離のために、レイヤごとのコードブックが用意される。
【００２１】
さらに、生成されたコードワード内の各信号要素は、対応する無線リソースにマッピングされる。例えば、まず、複数のレイヤのコードワードが多重化され、その後、多重化コードワード内の各信号要素が、対応する無線リソースにマッピングされる。あるいは、まず、複数のレイヤの各々について、レイヤのコードワード内の各信号要素が、対応する無線リソースにマッピングされ、その後、同一の無線リソースにマッピングされた２つ以上の信号要素（即ち、異なるレイヤの信号要素）が、多重化されてもよい。
【００２２】
その後、無線リソースにマッピングされた信号要素が送信される。
【００２３】
上述したように、複数のレイヤのコードワードが、同一の無線リソースにおいて送信される。即ち、複数のレイヤの間で無線リソースが共用される。そのために、ＳＣＭＡは、ＯＦＤＭＡのような直交アクセス方式ではなく、非直交アクセス方式である。
【００２４】
（ｂ）コードワードの生成
図２は、コードブックに基づくコードワードの生成の例を説明するための説明図である。図２を参照すると、データ候補ｂｉ及びコードワードｘｊが示されている。コードブックの大きさ、即ち、データ候補ｂｉの数、及びコードワードｘｊの数が、それぞれＭである。この場合に、例えば、入力情報であるデータは、ビットを要素として含むベクトルであり、ｌｏｇ２Ｍの長さを有する。また、出力情報であるコードワードは、複素数を信号要素として含むベクトルであり、コードワードの送信に用いられる無線リソースの数Ｋと同じ長さを有する。したがって、コードブックは、入力情報及び出力情報がそれぞれベクトルである関数であるとも言える。出力情報であるコードワードは、レイヤ多重に適した所望の条件を満たすことが求められる。
【００２５】
（ｃ）コードブックの例
図３は、コードブックの例を説明するための説明図である。図３を参照すると、コードブック１〜６が示さている。コードブック１〜６は、レイヤ１〜６のためのコードブックである。このように、ＳＣＭＡでは、レイヤごとにコードブックが用意される。この例では、入力情報であるデータは２ビットのデータであり、データ候補の数は４である。そのため、各コードブック内におけるコードワードの数も４である。各コードブック内のコードワードでは、４つの信号要素（即ち、複素数）のうちの２つが０であり、異なる２つのコードワードは互いに疎である。また、各コードブック内のコードワードでは、４つの信号要素のうちの２つが０ではない。即ち、４つの信号要素のうちの０ではない信号要素の数Ｎは、２である。
【００２６】
（ｄ）リソースマッピングの例
図４は、コードブックのリソースマッピングの例を説明するための説明図である。図４を参照すると、６つのレイヤと４つの無線リソースとが示されている。この例では、各レイヤのコードワード内の信号要素の数が４であるため、４つの無線リソースが用意される。例えば、各レイヤのコードワードに含まれる４つの信号要素のうちの、０ではない信号要素（即ち、２つの信号要素）が、対応する無線リソースにそれぞれマッピングされる。具体的には、例えば、レイヤ１のコードワード内の１番目の信号要素は、無線リソース１にマッピングされ、レイヤ１のコードワード内の２番目の信号要素は、無線リソース２にマッピングされる。例えば、レイヤ３のコードワード内の１番目の信号要素は、無線リソース１にマッピングされ、レイヤ３のコードワード内の３番目の信号要素は、無線リソース３にマッピングされる。
【００２７】
この例では、許容レイヤ数Ｊは、４つの無線リソースのうちの２つの組合せ（４Ｃ２＝６）と等しい。このように、６つのレイヤを４つの無線リソースにマッピングする場合には、実現されるオーバーロードは、１５０％である。
【００２８】
（ｅ）受信側での処理
ＳＣＭＡでは、上述したように、送信側では、疎なコードワードの多重化が行われる。一方、受信側では、例えば、反復演算を用いたメッセージ伝達法（Message  Passing  Algorithm）と呼ばれる手法が用いられる。メッセージ伝達法によれば、例えば、受信装置は、４つの無線リソースの受信信号を参照し、当該受信信号の事後確率を最大にする入力ベクトルを推定する。
【００２９】
より一般的に、例えば、Ｊ個のレイヤのコードワードが、Ｋ個の無線リソースにマッピングされる。この場合に、ｊ番目のレイヤのコードワードをｘｊ＝（ｘ１ｊ，…，ｘＫｊ）と表すと、ｋ番目の無線リソースにおける受信信号ｙｋは、以下のように表される。
【００３０】
【数１】
2016098413.tif 000003
【００３１】
ここで、ｈｋは、ｋ番目の無線リソースにおけるチャネル特性であり、ｎｋは、ｋ番目の無線リソースにおいて加算されるノイズ成分である。この場合に、以下のＸ＾が、入力ベクトルＸ＝（ｘ１，ｘ２，…，ｘＪ）の推定値である。
【００３２】
【数２】
2016098413.tif 000004
【００３３】
これを実現するために、受信側では、ＳＩＣ（Successive  Interference  Cancellation）が用いられる。ＳＩＣでは、受信装置は、あるレイヤの受信信号を復調する過程において、その他のレイヤの受信信号を干渉成分として順次キャンセルする。このような処理により、レイヤの受信信号が分離され、所望のレイヤの受信信号が得られる。
【００３４】
（２）最適なコードブックの設計
ＳＣＭＡの難点の１つとして、最適なコードブックの設計が挙げられる。最適なコードブックを設計するには、信号間距離と信号エネルギーのトレードオフを考慮して、コンスタレーションの極めて多数の組合せの中から最適な組合せを選択する必要がある。
【００３５】
しかし、コードワードのパラメータであるＫ及びＮを大きな値にすると、上記最適な組合せの選択に要する計算の量が極めて多大になり、当該選択は困難になる。
【００３６】
そのため、一般に、ＳＣＭＡのコードブックは、システム設計の際に、大規模な計算機を用いて設計される。よって、ＳＣＭＡシステムの運用時には、このように予め設計されたコードブックに基づいて、コードワードが生成される。
【００３７】
（３）リソースマッピング
一般に、多数の端末装置を収容するために、レイヤ数Ｊは、より大きいことが望ましい。レイヤ数Ｊをより大きくするためには、Ｋ及びＮを大きくする必要がある。
【００３８】
（ａ）キャリア周波数全体へのマッピング
例えば、キャリア周波数帯域全体に含まれるサブキャリアの数を、コードワードの長さとすることが考えられる。以下、図５を参照して具体例を説明する。
【００３９】
図５は、キャリア周波数帯域全体に含まれるサブキャリアの数をコードワードの長さとするケースの例を説明するための説明図である。図５を参照すると、キャリア周波数帯域が示されている。当該キャリア周波数帯域は、多数のサブキャリアを含む。この例では、上記キャリア周波数帯域に含まれるサブキャリアの数が、コードワードの長さであり、コードワードの送信に用いられる無線リソースの数Ｋである。この場合に、あるレイヤのコードワードは、Ｋ個のサブキャリアのうちの、Ｎ個のサブキャリア（図５におけるハッチングの箇所）にマッピングされる。即ち、上記コードワード内の、０ではないＮ個の信号要素が、上記Ｎ個のサブキャリアにマッピングされる。なお、ＮをＫよりも十分に小さくすることにより、疎なコードワードが担保される。
【００４０】
このようなケースでは、極めて大きいＫに起因して、最適なコードブックの選択に要する計算の量が極めて多大になる。そのため、大規模な計算機を用いたとしても上記計算を完了させることが困難になり得る。なお、計算の量を減らすために、一定の制約条件の下での準最適な解（コードブック）を求めることも考えられるが、最適解の探索空間の大きさに起因して、望まれるレベルの準最適な解を得ることも困難になり得る。
【００４１】
また、コードワードは他のコードワードと疎であることが求められるので、Ｋに対してＮは小さくなる。そのため、キャリア周波数帯域において、１レイヤあたりの通信速度が著しく制約され得る。
【００４２】
（ｂ）ブロックへのマッピング
上述したような懸念を考慮すると、例えば、所定数のサブキャリアを含むブロックにコードワードをマッピングすることが考えられる。即ち、当該ブロックに含まれるサブキャリアの数をコードワードの長さとすることが考えられる。以下、図６を参照して具体例を説明する。
【００４３】
図６は、ブロックに含まれるサブキャリア数をコードワードの長さとするケースの例を説明するための説明図である。図６を参照すると、キャリア周波数帯域が示されている。当該キャリア周波数帯域は、所定数のサブキャリアをそれぞれ含む複数のブロック１０を含む。一例として、ブロック１０は、リソースブロックであり、１２個のサブキャリアを含む。この場合に、コードワードの長さは１２であり、コードワードの送信に用いられる無線リソースの数も１２である。この場合に、各レイヤのコードワード内の、０ではない４つの信号要素が、１２個のサブキャリアのうちの４つにマッピングされる。例えば、あるレイヤのコードワードは、ブロック１０内の１２個のサブキャリアのうちの、１番目、３番目、６番目及び１２番目のサブキャリア（図６におけるハッチングの箇所）にマッピングされる。
【００４４】
このようなケースでは、Ｋ及びＮが小さいので、最適なコードブックの選択がより容易になる。
【００４５】
なお、図６の例では、上記キャリア周波数帯域全体にわたるブロックが、ＳＣＭＡの通信のために用いられる例を説明したが、上記キャリア周波数帯域の一部に含まれるブロックのみが、ＳＣＭＡの通信のために用いられてもよい。この場合に、上記キャリア周波数帯域の残りが、他の通信（例えば、ＯＦＤＭＡの通信）のために用いられてもよい。
【００４６】
（ｃ）レイヤのコードワードのマッピング
例えば、ブロックの無線リソースに、複数のレイヤのコードワードがマッピングされる。以下、この点について図７及び図８を参照して具体例を説明する。
【００４７】
図７は、３レイヤのコードワードがブロックの無線リソースにマッピングされる例を説明するための説明図である。この例では、レイヤ１のコードワードは、ブロック１０内の１２個のサブキャリアのうちの、１番目、３番目、６番目及び１２番目のサブキャリアにマッピングされる。レイヤ２のコードワードは、ブロック１０内の１２個のサブキャリアのうちの、２番目、７番目、８番目及び９番目のサブキャリアにマッピングされる。レイヤ３のコードワードは、ブロック１０内の１２個のサブキャリアのうちの、４番目、５番目、１０番目及び１１番目のサブキャリアにマッピングされる。この例では、無線リソースの数に対するレイヤの数が少ないので、異なるレイヤのコードワードの間で無線リソースが重複していない。そのため、レイヤ間での干渉が回避され得る。
【００４８】
図８は、４レイヤのコードワードがブロックの無線リソースにマッピングされる例を説明するための説明図である。この例では、さらに、レイヤ４のコードワードが、ブロック１０内の１２個のサブキャリアのうちの、１番目、２番目、３番目及び４番目のサブキャリアにマッピングされる。この例では、レイヤ４のコードワードと、他のレイヤのコードワードとの間で、無線リソースが重複している。そのため、レイヤ間での干渉が生じるが、レイヤ数の増加により、より多数の端末装置の収容が可能になる。
【００４９】
なお、図７及び図８では、簡略化のために、ブロック１０Ａ、１０Ｂのみへのマッピングを記載しているが、当然ながら、例えば、他のブロック１０へのマッピングも行われる。
【００５０】
無線リソースへのコードワードのマッピングとして、例えば、まず、複数のレイヤのコードワードが多重化され、その後、多重化コードワードが、無線リソースにマッピングされる。あるいは、無線リソースへのコードワードのマッピングとして、まず、複数のレイヤの各々について、レイヤのコードワードが、無線リソースにマッピングされ、その後、同一の無線リソースにマッピングされた２つ以上の信号要素（即ち、異なるレイヤの信号要素）が、多重化されてもよい。
【００５１】
＜１．２．技術的課題＞
次に、図９を参照して、本開示の実施形態に係る技術的課題を説明する。
【００５２】
上述したように、ＳＣＭＡでは、コードブックに基づいて、複数の信号要素を含むコードワードが生成される。そして、複数のレイヤのコードワード内の各信号要素は、（多重化後に又は多重化前に）対応する無線リソースにマッピングされる。
【００５３】
しかし、例えば、特定の無線リソース（例えば、特定の周波数リソース）においてフェージングが大きくなると、特定のレイヤのデータへの影響が大きくなる。その結果、受信側において干渉除去又は復号に失敗し、大きなビット誤りが生じ、再送が必要になり得る。これは、伝送遅延の増大、及び／又はスループットの低下などにつながり得る。以下、この点について図９を参照して具体例を説明する。
【００５４】
図９は、ＳＣＭＡにおけるフェージングによる影響の例を説明するための説明図である。図９を参照すると、ブロック１０に含まれる１２個のサブキャリアにおける受信電力が示されている。この例では、例えば、レイヤ２及び４のコードワードの信号要素がマッピングされた２番目のサブキャリア、及び、レイヤ３及び４のコードワードの信号要素がマッピングされた４番目のサブキャリアにおいて、フェージングが大きい。そのため、例えば、レイヤ４のデータへの影響が大きくなる。その結果、受信側において干渉除去（例えば、レイヤ４の信号要素の除去）又は復号（例えば、レイヤ４のデータの復号）に失敗し、大きなビット誤りが生じ得る。
【００５５】
そこで、コードブックを用いた非直交多重化が用いられる場合により良好に通信を行うことを可能にする仕組みが提供されることが望ましい。
【００５６】
＜＜２．システムの概略的な構成＞＞
図１０を参照して、本開示の実施形態に係るシステム１の概略的な構成を説明する。図１０は、本開示の実施形態に係るシステム１の概略的な構成の一例を示す説明図である。図１０を参照すると、システム１は、基地局１００及び端末装置２００を含む。
【００５７】
（１）基地局１００
基地局１００は、移動体通信システム（又はセルラーシステム）の基地局である。基地局１００は、セル１０１内に位置する端末装置（例えば、端末装置２００）との無線通信を行う。例えば、基地局１００は、端末装置へのダウンリンク信号を送信し、端末装置からのアップリンク信号を受信する。
【００５８】
（２）端末装置２００
端末装置２００は、上記移動体通信システム（又はセルラーシステム）において通信可能な端末装置である。端末装置２００は、基地局（例えば、基地局１００）との無線通信を行う。例えば、端末装置２００は、基地局からのダウンリンク信号を受信し、基地局へのアップリンク信号を送信する。
【００５９】
（３）コードブックを用いた非直交多重化
とりわけ本開示の実施形態では、コードブックを用いた非直交多重化／非直交多元接続が行われる。
【００６０】
例えば、上記コードブックは、ＳＣ（Sparse  Code）のコードブックである。上記コードブックを用いた上記非直交多元接続は、ＳＣＭＡであり、上記コードブックを用いた上記非直交多重化は、ＳＣＭＡの多重化である。
【００６１】
後述する第１の実施形態では、ダウンリンクについて、コードブックを用いた非直交多重化／非直交多元接続が行われる。一方、後述する第２の実施形態では、アップリンクについて、コードブックを用いた非直交多重化／非直交多元接続が行われる。
【００６２】
＜＜３．第１の実施形態＞＞
続いて、図１１〜図２１を参照して、本開示の第１の実施形態を説明する。第１の実施形態では、ダウンリンクについて、コードブックを用いた非直交多重化／非直交多元接続が行われる。
【００６３】
＜３．１．基地局の構成＞
まず、図１１を参照して、第１の実施形態に係る基地局１００の構成の一例を説明する。図１１は、第１の実施形態に係る基地局１００の構成の一例を示すブロック図である。図１１を参照すると、基地局１００は、アンテナ部１１０、無線通信部１２０、ネットワーク通信部１３０、記憶部１４０及び処理部１５０を備える。
【００６４】
（１）アンテナ部１１０
アンテナ部１１０は、無線通信部１２０により出力される信号を電波として空間に放射する。また、アンテナ部１１０は、空間の電波を信号に変換し、当該信号を無線通信部１２０へ出力する。
【００６５】
（２）無線通信部１２０
無線通信部１２０は、信号を送受信する。例えば、無線通信部１２０は、端末装置へのダウンリンク信号を送信し、端末装置からのアップリンク信号を受信する。
【００６６】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００６７】
（４）記憶部１４０
記憶部１４０は、基地局１００の動作のためのプログラム及び様々なデータを一時的に又は恒久的に記憶する。
【００６８】
（５）処理部１５０
処理部１５０は、基地局１００の様々な機能を提供する。処理部１５０は、コードワード生成部１５１、調整部１５３、情報取得部１５５及び通知部１５７を含む。なお、処理部１５０は、これらの構成要素以外の他の構成要素をさらに含み得る。即ち、処理部１５０は、これらの構成要素の動作以外の動作も行い得る。
【００６９】
コードワード生成部１５１、調整部１５３、情報取得部１５５及び通知部１５７は、後に詳細に説明する。
【００７０】
＜３．２．端末装置の構成＞
次に、図１２を参照して、第１の実施形態に係る端末装置２００の構成の一例を説明する。図１２は、第１の実施形態に係る端末装置２００の構成の一例を示すブロック図である。図１２を参照すると、端末装置２００は、アンテナ部２１０、無線通信部２２０、記憶部２３０及び処理部２４０を備える。
【００７１】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【００７２】
（２）無線通信部２２０
無線通信部２２０は、信号を送受信する。例えば、無線通信部２２０は、基地局からのダウンリンク信号を受信し、基地局へのアップリンク信号を送信する。
【００７３】
（３）記憶部２３０
記憶部２３０は、端末装置２００の動作のためのプログラム及び様々なデータを一時的に又は恒久的に記憶する。
【００７４】
（４）処理部２４０
処理部２４０は、端末装置２００の様々な機能を提供する。処理部２４０は、情報取得部２４１及び制御部２４３を含む。なお、処理部２４０は、これらの構成要素以外の他の構成要素をさらに含み得る。即ち、処理部２４０は、これらの構成要素の動作以外の動作も行い得る。
【００７５】
情報取得部２４１及び制御部２４３は、後に詳細に説明する。
【００７６】
＜３．３．技術的特徴＞
次に、図１３〜図１８を参照して、第１の実施形態に係る技術的特徴を説明する。
【００７７】
（１）コードワードの生成
基地局１００（コードワード生成部１５１）は、コードブックを用いた非直交多重化の対象となる複数のレイヤの各々について、レイヤのためのコードブックに基づいて、当該レイヤのデータから当該レイヤのコードワードを生成する。
【００７８】
（ａ）コードブックを用いた非直交多重化
上述したように、例えば、上記コードブックは、ＳＣ（Sparse  Code）のコードブックであり、上記コードブックを用いた上記非直交多重化は、ＳＣＭＡの多重化である。
【００７９】
（ｂ）コードブック
例えば、上記コードブックは、データ候補とコードワードとの対応を示す情報である。一例として、上記コードブックは、図３に示されるコードブックである。
【００８０】
（ｃ）コードワードの生成
例えば、基地局１００（コードワード生成部１５１）は、上記コードブックにおいて上記データに対応するコードワードを生成する。換言すると、基地局１００（コードワード生成部１５１）は、上記データを、上記コードブックにおいて上記データに対応するコードワードに変換する。
【００８１】
（２）無線リソースの調整
基地局１００（調整部１５３）は、上記複数のレイヤのコードワードの多重化により得られる多重化コードワード内の信号要素の送信に使用される無線リソースの調整を行う。
【００８２】
これにより、例えば、コードブックを用いた非直交多重化が用いられる場合により良好に通信を行うことが可能になる。より具体的には、例えば、コードブックを変更することなく、フェージングによる特定のレイヤへの影響の集中が回避され、特定のレイヤにおける通信品質の低下が抑えられる。
【００８３】
（ａ）無線リソース
（ａ−１）周波数リソース
例えば、上記無線リソースは、周波数リソースである。即ち、基地局１００（調整部１５３）は、上記多重化コードワード内の信号要素の送信に使用される周波数リソースの調整を行う。
【００８４】
より具体的には、例えば、上記周波数リソースは、サブキャリアである。即ち、基地局１００（調整部１５３）は、上記多重化コードワード内の信号要素の送信に使用されるサブキャリアの調整を行う。一例として、上記サブキャリアは、１２ｋＨｚの間隔で配置されるキャリアである。
【００８５】
これにより、例えば、特定の周波数でのフェージングによる影響を抑えることが可能になる。
【００８６】
（ａ−２）時間リソース
例えば、上記無線リソースは、時間リソースである。即ち、基地局１００（調整部１５３）は、上記多重化コードワード内の信号要素の送信に使用される時間リソースの調整を行う。
【００８７】
より具体的には、例えば、上記時間リソースは、シンボル、スロット、サブフレーム又は無線フレーム（Radio  Frame）である。即ち、基地局１００（調整部１５３）は、上記多重化コードワード内の信号要素の送信に使用されるシンボル、スロット、サブフレーム、又は無線フレームの調整を行う。
【００８８】
これにより、例えば、特定の時間でのフェージングによる影響を抑えることが可能になる。
【００８９】
（ｂ）多重化及び多重化コードワード
（ｂ−１）多重化の例
例えば、上記複数のレイヤの上記コードワードの上記多重化は、上記複数のレイヤの上記コードワードの加算である。上記多重化コードワードは、上記加算により得られるものである。
【００９０】
より具体的には、例えば、上記コードワードの各々は、複素数を信号要素として含むベクトルであり、上記多重化は、ベクトルである上記コードワードの加算である。上記多重化コードワードは、上記加算により得られるベクトルである。
【００９１】
（ｂ−２）多重化のタイミング
例えば、基地局１００は、まず、上記複数のレイヤの上記コードワードの上記多重化を行い、その後、上記多重化コードワード内の各信号要素を、対応する無線リソースへマッピングする。
【００９２】
あるいは、基地局１００は、まず、上記複数のレイヤの各々のコードワード内の各信号要素（例えば、０ではない信号要素）を、対応する無線リソースへマッピングしてもよい。その後、基地局１００は、同一の無線リソースにマッピングされた信号要素（即ち、異なるレイヤの信号要素）を多重化（例えば加算）することにより、上記複数のレイヤの上記コードワードの上記多重化を行ってもよい。
【００９３】
（ｃ）調整の例（信号要素の間での無線リソースの交換）
例えば、上記調整は、複数のレイヤのコードワードからそれぞれ生成される１つ以上の多重化コードワード内の少なくとも２つの信号要素の間で、送信に使用される無線リソースを交換することを含む。
【００９４】
これにより、例えば、フェージングによる影響をレイヤ間で分散させることが可能になる。その結果、例えば、特定のレイヤへの影響の集中が回避される。
【００９５】
（ｃ−１）信号要素
−２つ以上の多重化コードワードに含まれる信号要素
例えば、上記１つ以上の多重化コードワードは、２つ以上の多重化コードワードである。即ち、基地局１００（調整部１５３）は、２つ以上の多重化コードワード内の少なくとも２つの信号要素の間で、送信に使用される無線リソースを交換する。
【００９６】
これにより、例えば、フェージングによる影響を多重化コードワード間で分散させることが可能になる。その結果、例えば、特定の多重化コードワードへの影響の集中が回避される。
【００９７】
−単一の多重化コードワードに含まれる信号要素
上記１つ以上の多重化コードワードは、単一の多重化コードワードであってもよい。即ち、基地局１００（調整部１５３）は、単一の多重化コードワード内の少なくとも２つの信号要素の間で、送信に使用される無線リソースを交換してもよい。
【００９８】
これにより、例えば、フェージングによる影響を多重化コードワード内で分散させることが可能になる。その結果、例えば、多重化コードワード内の特定のレイヤへの影響の集中が回避される。
【００９９】
（ｃ−２）交換の具体例
−第１の例
例えば、上記調整は、上記１つ以上の多重化コードワード内の信号要素のペアの間で、送信に使用される無線リソースを交換することを含む。以下、図１３及び図１４を参照して、具体例を説明する。
【０１００】
図１３は、信号要素の間での無線リソースの交換の第１の例を説明するための説明図である。図１３を参照すると、キャリア周波数帯域が示されている。当該キャリア周波数帯域は、１２個のサブキャリアをそれぞれ含む複数のブロック１０を含む。例えば、通常、図８に示されるように多重化コードワードが送信される。しかし、この例では、ブロック１０Ａで通常送信される第１の多重化コードワード内の信号要素と、ブロック１０Ｂで通常送信される第２の多重化コードワード内の信号要素との間で、送信に使用される無線リソースが交換される。例えば、これらの多重化コードワードの１番目の信号要素の間で、無線リソース（サブキャリア又はリソースエレメント）が交換される。また、これらの多重化コードワードの２番目の信号要素の間でも、無線リソースが交換される。
【０１０１】
図１４は、信号要素の間での無線リソースの交換の第２の例を説明するための説明図である。図１４を参照すると、キャリア周波数帯域が示されている。当該キャリア周波数帯域は、１２個のサブキャリアをそれぞれ含む複数のブロック１０を含む。例えば、通常、図８に示されるように多重化コードワードが送信される。しかし、この例では、ブロック１０Ａで送信される第１の多重化コードワード内の２つの信号要素の間で、送信に使用される無線リソースが交換される。例えば、上記第１のコードワード内の１番目の信号要素と１２番目の信号要素との間で、無線リソース（サブキャリア又はリソースエレメント）が交換される。また、上記第１のコードワード内の２番目の信号要素と１１番目の信号要素との間で、無線リソースが交換される。
【０１０２】
−第２の例（巡回シフト）
上記調整は、巡回シフトにより、上記少なくとも２つの信号要素の間で、送信に使用される上記無線リソースを交換することを含んでもよい。以下、図１５を参照して、具体例を説明する。
【０１０３】
図１５は、信号要素の間での無線リソースの交換の第３の例を説明するための説明図である。図１５を参照すると、キャリア周波数帯域が示されている。当該キャリア周波数帯域は、１２個のサブキャリアをそれぞれ含む複数のブロック１０を含む。例えば、通常、図８に示されるように多重化コードワードが送信される。しかし、この例では、巡回シフトにより、ブロック１０Ａで送信される第１の多重化コードワード内の１２個の信号要素の間で、送信に使用される無線リソースが交換される。例えば、上記第１の多重化コードワード内の１番目の信号要素は、ブロック１０Ａの２番目のサブキャリアで送信される。同様に、上記第１の多重化コードワード内の２番目の信号要素は、ブロック１０Ａの３番目のサブキャリアで送信され、上記第１の多重化コードワード内の１２番目の信号要素は、ブロック１０Ａの１番目のサブキャリアで送信される。
【０１０４】
当然ながら、巡回シフトは、時間方向において継続して行われてもよい。例えば、時間の経過後に、上記第１の多重化コードワード内の１番目の信号要素は、ブロック１０Ａの３番目のサブキャリアで送信されてもよい。同様に、上記第１の多重化コードワード内の２番目の信号要素は、ブロック１０Ａの４番目のサブキャリアで送信され、上記第１の多重化コードワード内の１２番目の信号要素は、ブロック１０Ａの２番目のサブキャリアで送信される。
【０１０５】
また、巡回シフトは、１つの無線リソース（例えば、１つのサブキャリア）ずつのシフトではなく、２つ以上の無線リソース（例えば、２つ以上のサブキャリア）ずつのシフトであってもよい。
【０１０６】
なお、図１５を参照して、単一の多重化コードワード内の信号要素間で無線リソースが巡回シフトにより交換される例を説明したが、当然ながら、２つ以上の多重化コードワード内の信号要素間で無線リソースが巡回シフトにより交換されてもよい。
【０１０７】
これにより、例えば、フェージングによる影響をレイヤ間でほぼ均等に分散することが可能になる。
【０１０８】
−第３の例（インターリービング）
上記調整は、インターリーブパターンに従って、上記少なくとも２つの信号要素の間で、送信に使用される上記無線リソースを交換することを含んでもよい。以下、図１６を参照して、具体例を説明する。
【０１０９】
図１６は、信号要素の間での無線リソースの交換の第３の例を説明するための説明図である。図１６を参照すると、キャリア周波数帯域が示されている。当該キャリア周波数帯域は、１２個のサブキャリアをそれぞれ含む複数のブロック１０を含む。例えば、通常、図８に示されるように多重化コードワードが送信される。しかし、この例では、インターリーブパターンに従って、ブロック１０Ａで送信される第１の多重化コードワード内の１２個の信号要素の間で、送信に使用される無線リソースが交換される。例えば、上記第１の多重化コードワード内の１番目の信号要素は、ブロック１０Ａの４番目のサブキャリアで送信される。上記第１の多重化コードワード内の２番目の信号要素は、ブロック１０Ａの７番目のサブキャリアで送信される。
【０１１０】
上記インターリーブパターンは、（例えばチャネルの状態に基づいて）基地局１００（又は他のノード）により決定されるインターリーブパターンであってもよい。あるいは、上記インターリーブパターンは、所定のインターリーブパターンであってもよい。
【０１１１】
基地局１００（通知部１５７）は、上記インターリーブパターンを端末装置２００に通知してもよい。これにより、例えば、端末装置２００は、上記インターリーブパターンを知ることが可能になる。
【０１１２】
なお、図１６を参照して、単一の多重化コードワード内の信号要素間で無線リソースがインターリーブパターンに従って交換される例を説明したが、当然ながら、２つ以上の多重化コードワード内の信号要素間で無線リソースがインターリーブパターンに従って交換されてもよい。
【０１１３】
これにより、例えば、フェージングによる影響を柔軟に分散することが可能になる。
【０１１４】
（ｄ）調整の他の例
上述したように、例えば、上記調整は、上記１つ以上の多重化コードワード内の上記２つの信号要素の間で、送信に使用される無線リソースを交換することを含む。しかしながら、上記調整は、この交換に限られない。
【０１１５】
一例として、上記調整は、多重化コードワード内の信号要素と、多重化コードワード内の信号要素ではない他の信号要素との間で、送信に使用される無線リソースを交換することを含んでもよい。
【０１１６】
別の例として、上記調整は、多重化コードワード内の信号要素の送信に使用される無線リソースを、空き無線リソース（例えば、サブキャリア又はリソースエレメント）に変更することを含んでもよい。
【０１１７】
（ｅ）具体的な動作
（ｅ−１）第１の例
図１７は、第１の実施形態に係る基地局１００の動作の第１の例を説明するための説明図である。
【０１１８】
基地局１００（処理部１５０）は、複数のレイヤの各々について、誤訂正符号化を行う。さらに、基地局１００（コードワード生成部１５１）は、誤訂正符号化後のデータ（バイナリーデータ）からコードワードを生成する。
【０１１９】
そして、基地局１００（調整部１５３）は、上記複数のレイヤのコードワードの多重化により得られる多重化コードワード内の信号要素の送信に使用される無線リソースの調整を行う。例えば、基地局１００（調整部１５３）は、リソースマッピングにおける信号要素のマッピング先を変更する。
【０１２０】
その後、基地局１００（処理部１５０）は、上記調整の結果に基づいて、リソースマッピングを行う。即ち、基地局１００（処理部１５０）は、上記調整の結果に基づいて、各信号要素を、対応する無線リソースにマッピングする。そして、基地局１００（処理部１５０及び無線通信部１２０）は、多重化コードワードを送信する。
【０１２１】
（ｅ−２）第２の例
図１８は、第１の実施形態に係る基地局１００の動作の第２の例を説明するための説明図である。
【０１２２】
例えば、基地局１００（処理部１５０）は、複数のレイヤの各々について、誤訂正符号化を行う。さらに、基地局１００（コードワード生成部１５１）は、誤訂正符号化後のデータ（バイナリーデータ）からコードワードを生成する。
【０１２３】
そして、基地局１００（処理部１５０）は、リソースマッピングを行ってもよい。即ち、基地局１００（処理部１５０）は、各信号要素を、対応する無線リソースにマッピングしてもよい。
【０１２４】
その後、基地局１００（調整部１５３）は、上記複数のレイヤのコードワードの多重化により得られる多重化コードワード内の信号要素の送信に使用される無線リソースの調整を行ってもよい。例えば、基地局１００（調整部１５３）は、無線リソースに既にマッピングされている信号要素を、別の無線リソースに再度マッピングしてもよい。
【０１２５】
そして、基地局１００（処理部１５０及び無線通信部１２０）は、多重化コードワードを送信する。
【０１２６】
（ｅ−３）多重化のタイミング
上述したように、例えば、基地局１００は、まず、上記複数のレイヤのコードワードの多重化を行ってもよい。その後、基地局１００は、上記多重化コードワード内の各信号要素を、対応する無線リソースにマッピングする。
【０１２７】
あるいは、上述したように、基地局１００は、上記複数のレイヤのコードワード内の各信号要素（例えば、０ではない信号要素）を、対応する無線リソースへマッピングしてもよい。その後、基地局１００は、同一の無線リソースにマッピングされた信号要素（即ち、異なるレイヤの信号要素）を多重化することにより、上記複数のレイヤの上記コードワードの上記多重化を行ってもよい。
【０１２８】
（ｆ）動的な調整
例えば、基地局１００（調整部１５３）は、時間方向において動的に又は準静的に上記調整を行う。
【０１２９】
第１の例として、基地局１００（調整部１５３）は、所定の周期で上記調整を行う。例えば、基地局１００（調整部１５３）は、シンボル、スロット、サブフレーム又は無線フレームの周期で、上記調整を行う。
【０１３０】
第２の例として、基地局１００（調整部１５３）は、チャネル特性に基づいて上記調整を行う。例えば、基地局１００（調整部１５３）は、チャネル特性の悪化（例えば、一部のサブキャリアにおける特性の悪化）に応じて、上記調整を行う。これにより、例えば、必要に応じて上記調整が行われ、通信品質の低下を抑制される。なお、例えば、上記チャネル特性は、端末装置２００により測定され、基地局１００に報告される。
【０１３１】
第３の例として、基地局１００（調整部１５３）は、上記複数のレイヤに含まれるレイヤの数が所定数を超える場合に、上記調整を行ってもよい。これにより、例えば、レイヤ間の干渉が大きくなる場合に上記調整が行われ、通信品質の低下を抑制される。
【０１３２】
第４の例として、基地局１００（調整部１５３）は、コードワードの所定の組合せが上記複数のコードワードに含まれる場合に、上記調整を行ってもよい。例えば、基地局１００（調整部１５３）は、上記所定の組合せが上記複数のコードワードに含まれる場合には、上記所定の組合せに応じた調整を行ってもよい。上記所定の組合せに応じた当該調整は、上記所定の組合せのために予め定められたパターンに従って、信号要素間で無線リソースを交換することであってもよい。
【０１３３】
（３）端末装置への通知
例えば、基地局１００（情報取得部１５５）は、上記調整に関する情報（以下、「リソース調整関連情報」と呼ぶ）を取得する。そして、基地局１００（通知部１５７）は、上記リソース調整関連情報を端末装置２００に通知する。
【０１３４】
（ａ）通知手法
例えば、基地局１００（通知部１５７）は、ダウンリンク制御情報（Downlink  Control  Information：ＤＣＩ）の中で、上記リソース調整関連情報を端末装置２００に通知する。
【０１３５】
基地局１００（通知部１５７）は、端末装置２００への個別のシグナリングにより、上記リソース調整関連情報を端末装置２００に通知してもよい。基地局１００（通知部１５７）は、システム情報（System  Information：ＳＩ）の中で、上記リソース調整関連情報を端末装置２００に通知してもよい。
【０１３６】
（ｂ）リソース調整関連情報
例えば、上記リソース関連情報は、上記調整の有無を示す情報を含む。より具体的には、例えば、上記リソース関連情報は、端末装置２００に割り当てられた無線リソースについて上記調整が行われたか否かを示す情報を含む。
【０１３７】
例えば、上記リソース関連情報は、上記調整の手法を示す情報を含む。より具体的には、例えば、上記リソース関連情報は、信号要素の間での無線リソースの交換のパターンを示す情報を含む。なお、当該パターンは、上述したインターリーブパターンであってもよい。
【０１３８】
（４）端末装置の動作
端末装置２００（情報取得部２４１）は、上記リソース調整関連情報を取得する。そして、端末装置２００（制御部２４３）は、上記リソース調整関連情報に基づいて、端末装置２００における受信処理を行う。
【０１３９】
例えば、端末装置２００（制御部２４３）は、上記リソース調整関連情報から、上記調整が行われたかを判定する。そして、端末装置２００（制御部２４３）は、上記調整が行われた場合には、上記調整を考慮して、受信信号の中から多重化コードワードを取り出す。そして、端末装置２００（制御部２４３）は、ＳＩＣにより、所望のレイヤのデータを取得する。
【０１４０】
例えば、図１３に示されるように、上記調整が行われる場合には、端末装置２００は、ブロック１０Ｂの１〜２番目のサブキャリアの信号要素と、ブロック１０Ａの３〜１２番目のサブキャリアの信号要素とから、多重化コードワードを取り出す。そして、端末装置２００（制御部２４３）は、ＳＩＣにより、所望のレイヤのデータを取得する。
【０１４１】
＜３．４．処理の流れ＞
次に、図１９〜図２１を参照して、第１の実施形態に係る処理の例を説明する。
【０１４２】
（１）基地局の処理
（ａ）第１の処理
図１９は、第１の実施形態に係る基地局１００の第１の処理の概略的な流れの一例を示すフローチャートである。当該第１の処理は、リソース調整関連情報の通知に係る処理である。
【０１４３】
基地局１００（情報取得部１５５）は、リソース調整関連情報を取得する（Ｓ３０１）。上記リソース調整関連情報は、複数のレイヤのコードワードの多重化により得られる多重化コードワード内の信号要素の送信に使用される無線リソースの調整に関する情報である。
【０１４４】
そして、基地局１００（通知部１５７）は、上記リソース調整関連情報を端末装置２００に通知する（Ｓ３０３）。そして、処理は終了する。
【０１４５】
（ｂ）第２の処理
図２０は、第１の実施形態に係る基地局１００の第２の処理の概略的な流れの一例を示すフローチャートである。当該第２の処理は、データの送信に係る処理である。
【０１４６】
基地局１００（処理部１５０）は、複数のレイヤの各々について、誤り訂正符号化を行う（Ｓ３２１）。
【０１４７】
次に、基地局１００（コードワード生成部１５１）は、上記複数のレイヤの各々について、誤訂正符号化後のデータ（バイナリーデータ）からコードワードを生成する（Ｓ３２３）。
【０１４８】
そして、基地局１００（処理部１５０）は、上記複数のレイヤのコードワードの多重化により、多重化コードワードを生成する（Ｓ３２５）。
【０１４９】
さらに、基地局１００（調整部１５３）は、上記多重化コードワード内の信号要素の送信に使用される無線リソースの調整を行う（Ｓ３２７）。例えば、基地局１００（調整部１５３）は、リソースマッピングにおける信号要素のマッピング先を変更する。
【０１５０】
その後、基地局１００（処理部１５０）は、上記調整の結果に基づいて、リソースマッピングを行う（Ｓ３２９）。即ち、基地局１００（処理部１５０）は、上記調整の結果に基づいて、上記多重化コードワード内の各信号要素を、対応する無線リソースにマッピングする。
【０１５１】
そして、基地局１００（処理部１５０及び無線通信部１２０）は、上記多重化コードワードを送信する（Ｓ３３１）。そして、処理は終了する。
【０１５２】
（３）端末装置の処理
図２１は、第１の実施形態に係る端末装置２００の処理の概略的な流れの一例を示すフローチャートである。当該処理は、データの受信に係る処理である。
【０１５３】
端末装置２００（情報取得部２４１）は、リソース調整関連情報を取得する（Ｓ３４１）。上記リソース調整関連情報は、複数のレイヤのコードワードの多重化により得られる多重化コードワード内の信号要素の送信に使用される無線リソースの調整に関する情報である。
【０１５４】
そして、端末装置２００（制御部２４３）は、上記リソース調整関連情報に基づいて、受信処理を実行する（Ｓ３４３）。そして、処理は終了する。
【０１５５】
以上、第１の実施形態を説明した。第１の実施形態によれば、上述したように、例えば、コードブックを用いた非直交多重化が用いられる場合により良好に通信を行うことが可能になる。より具体的には、例えば、コードブックを変更することなく、フェージングによる特定のレイヤへの影響の集中が回避され、特定のレイヤにおける通信品質の低下が抑えられる。その結果、特定のレイヤのデータの再送が少なくなり、伝送遅延の増大及び／又はスループットの低下などが抑えられ得る。
【０１５６】
通常、コードブックは予め設計されるので、フェージングによる影響の集中を回避するためにコードブック自体を変更することは困難である。そのため、コードワードの各信号要素の送信に使用される無線リソースは、一意に決まり得る。その結果、特定の無線リソース（例えば、特定の周波数リソース）においてフェージングが大きくなると、特定のレイヤのデータへの影響が大きくなり得る。そこで、上述したように、信号要素の間での無線リソースの調整を行うことにより、コードワードの各信号要素の送信に使用される無線リソースの一意的な決定を回避することができる。そのため、フェージングによる特定のレイヤへの影響の集中が回避され得る。
【０１５７】
＜＜４．第２の実施形態＞＞
続いて、図２２〜図２４を参照して、本開示の第２の実施形態を説明する。第２の実施形態では、アップリンクについて、コードブックを用いた非直交多重化／非直交多元接続が行われる。
【０１５８】
＜４．１．基地局の構成＞
まず、図２２を参照して、第２の実施形態に係る基地局１００の構成の一例を説明する。図２２は、第２の実施形態に係る基地局１００の構成の一例を示すブロック図である。図２２を参照すると、基地局１００は、アンテナ部１１０、無線通信部１２０、ネットワーク通信部１３０、記憶部１４０及び処理部１６０を備える。
【０１５９】
アンテナ部１１０、無線通信部１２０、ネットワーク通信部１３０及び記憶部１４０についての説明は、第１の実施形態と第２の実施形態との間に特段の差異はない。よって、ここでは当該説明を省略する。
【０１６０】
（１）処理部１６０
処理部１６０は、基地局１００の様々な機能を提供する。処理部１６０は、情報取得部１６１及び通知部１６３を含む。なお、処理部１６０は、これらの構成要素以外の他の構成要素をさらに含み得る。即ち、処理部１６０は、これらの構成要素の動作以外の動作も行い得る。
【０１６１】
＜４．２．端末装置の構成＞
次に、図２３を参照して、第２の実施形態に係る端末装置２００の構成の一例を説明する。図２３は、第２の実施形態に係る端末装置２００の構成の一例を示すブロック図である。図２３を参照すると、端末装置２００は、アンテナ部２１０、無線通信部２２０、記憶部２３０及び処理部２５０を備える。
【０１６２】
アンテナ部２１０、無線通信部２２０及び記憶部２３０についての説明は、第１の実施形態と第２の実施形態との間に特段の差異はない。よって、ここでは当該説明を省略する。
【０１６３】
（１）処理部２５０
処理部２５０は、端末装置２００の様々な機能を提供する。処理部２５０は、情報取得部２５１、コードワード生成部２５３及び調整部２５５を含む。なお、処理部２５０は、これらの構成要素以外の他の構成要素をさらに含み得る。即ち、処理部２５０は、これらの構成要素の動作以外の動作も行い得る。
【０１６４】
＜４．３．技術的特徴＞
次に、第２の実施形態に係る技術的特徴を説明する。
【０１６５】
（１）コードワードの生成
端末装置２００（コードワード生成部２５３）は、コードブックを用いた非直交多重化の対象となるレイヤのためのコードブックに基づいて、当該レイヤのデータから当該レイヤのコードワードを生成する。上記レイヤは、端末装置２００に割り当てられたレイヤである。
【０１６６】
例えば、コードブックを用いた非直交多重化の対象となる複数のレイヤが端末装置２００に割り当てられる。この場合には、端末装置２００（コードワード生成部２５３）は、上記複数のレイヤの各々について、レイヤのためのコードブックに基づいて、当該レイヤのデータから当該レイヤのコードワードを生成する。
【０１６７】
コードワードの生成に関する詳細な説明は、主体の相違（即ち、第１の実施形態では主体が基地局１００であり、第２の実施形態では主体が端末装置２００であること）を除き、第１の実施形態と第２の実施形態との間に特段の差異はない。よって、ここでは上記詳細な説明を省略する。
【０１６８】
（２）無線リソースの調整
端末装置２００（調整部２５５）は、上記コードワード内の信号要素の送信に使用される無線リソースの調整を行う。
【０１６９】
例えば、上記複数のレイヤが端末装置２００に割り当てられる。この場合には、端末装置２００（調整部２５５）は、上記複数のレイヤのコードワードの多重化により得られる多重化コードワード内の信号要素の送信に使用される無線リソースの調整を行う。
【０１７０】
無線リソースの調整に関する詳細な説明は、主体の相違（即ち、第１の実施形態では主体が基地局１００であり、第２の実施形態では主体が端末装置２００であること）を除き、第１の実施形態と第２の実施形態との間に特段の差異はない。よって、ここでは上記詳細な説明を省略する。
【０１７１】
なお、第２の実施形態では、端末装置２００（情報取得部２５１）は、上記調整に関する情報（即ち、リソース調整関連情報）を取得する。そして、端末装置２００（調整部２５５）は、上記リソース調整関連情報に基づいて、上記調整を行う。
【０１７２】
（３）端末装置への通知
例えば、基地局１００（情報取得部１５５）は、上記リソース調整関連情報を取得する。そして、基地局１００（通知部１５７）は、上記リソース調整関連情報を端末装置２００に通知する。
【０１７３】
端末装置へのリソース調整関連情報の通知に関する詳細な説明は、第１の実施形態と第２の実施形態との間に特段の差異はない。よって、ここでは上記詳細な説明を省略する。
【０１７４】
＜４．４．処理の流れ＞
次に、図２４を参照して、第２の実施形態に係る処理の例を説明する。
【０１７５】
（１）基地局の処理
基地局１００の第１の処理についての説明（図１９を参照した説明）は、第１の実施形態と第２の実施形態との間に特段の差異はない。よって、ここでは上記詳細な説明を省略する。
【０１７６】
（２）端末装置の処理
図２４は、第２の実施形態に係る端末装置２００の処理の概略的な流れの一例を示すフローチャートである。当該処理は、データの送信に係る処理である。
【０１７７】
端末装置２００（処理部２５０）は、誤り訂正符号化を行う（Ｓ３６１）。
【０１７８】
次に、端末装置２００（コードワード生成部２５３）は、誤訂正符号化後のデータ（バイナリーデータ）からコードワードを生成する（Ｓ３６３）。
【０１７９】
そして、端末装置２００（調整部２５５）は、上記コードワード内の信号要素の送信に使用される無線リソースの調整を行う（Ｓ３６５）。例えば、端末装置２００（調整部２５５）は、リソースマッピングにおける信号要素のマッピング先を変更する。
【０１８０】
その後、端末装置２００（処理部２５０）は、上記調整の結果に基づいて、リソースマッピングを行う（Ｓ３６７）。即ち、端末装置２００（処理部２５０）は、上記調整の結果に基づいて、上記コードワード内の各信号要素を、対応する無線リソースにマッピングする。
【０１８１】
そして、端末装置２００（処理部２５０及び無線通信部２２０）は、上記多重化コードワードを送信する（Ｓ３６９）。そして、処理は終了する。
【０１８２】
以上、第２の実施形態を説明した。第２の実施形態によれば、例えば、コードブックを用いた非直交多重化が用いられる場合により良好に通信を行うことが可能になる。より具体的には、例えば、コードブックを変更することなく、フェージングによる特定のレイヤへの影響の集中が回避され、特定のレイヤにおける通信品質の低下が抑えられる。その結果、特定のレイヤのデータの再送が少なくなり、伝送遅延の増大及び／又はスループットの低下などが抑えられ得る。
【０１８３】
＜＜５．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。さらに、基地局１００の少なくとも一部の構成要素は、基地局装置又は基地局装置のためのモジュールにおいて実現されてもよい。
【０１８４】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００の少なくとも一部の構成要素は、これら端末に搭載されるモジュール（例えば、１つのダイで構成される集積回路モジュール）において実現されてもよい。
【０１８５】
＜５．１．基地局に関する応用例＞
（第１の応用例）
図２５は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１８６】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２５に示したように複数のアンテナ８１０を有し、複数のアンテナ８１０は、例えばｅＮＢ８００が使用する複数の周波数帯域にそれぞれ対応してもよい。なお、図２５にはｅＮＢ８００が複数のアンテナ８１０を有する例を示したが、ｅＮＢ８００は単一のアンテナ８１０を有してもよい。
【０１８７】
基地局装置８２０は、コントローラ８２１、メモリ８２２、ネットワークインタフェース８２３及び無線通信インタフェース８２５を備える。
【０１８８】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１８９】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１９０】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１９１】
無線通信インタフェース８２５は、図２５に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２５に示したように複数のＲＦ回路８２７を含み、複数のＲＦ回路８２７は、例えば複数のアンテナ素子にそれぞれ対応してもよい。なお、図２５には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１９２】
図２５に示したｅＮＢ８００において、図１１を参照して説明した処理部１５０に含まれる１つ以上の構成要素（コードワード生成部１５１、調整部１５３、情報取得部１５５及び／又は通知部１５７）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。これらの点については、図２２を参照して説明した情報取得部１６１及び／又は通知部１６３も、上記１つ以上の構成要素（コードワード生成部１５１、調整部１５３、情報取得部１５５及び／又は通知部１５７）と同じである。
【０１９３】
また、図２５に示したｅＮＢ８００において、図１１を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。
【０１９４】
（第２の応用例）
図２６は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１９５】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２６に示したように複数のアンテナ８４０を有し、複数のアンテナ８４０は、例えばｅＮＢ８３０が使用する複数の周波数帯域にそれぞれ対応してもよい。なお、図２６にはｅＮＢ８３０が複数のアンテナ８４０を有する例を示したが、ｅＮＢ８３０は単一のアンテナ８４０を有してもよい。
【０１９６】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２５を参照して説明したコントローラ８２１、メモリ８２２及びネットワークインタフェース８２３と同様のものである。
【０１９７】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２５を参照して説明したＢＢプロセッサ８２６と同様のものである。無線通信インタフェース８５５は、図２６に示したように複数のＢＢプロセッサ８５６を含み、複数のＢＢプロセッサ８５６は、例えばｅＮＢ８３０が使用する複数の周波数帯域にそれぞれ対応してもよい。なお、図２６には無線通信インタフェース８５５が複数のＢＢプロセッサ８５６を含む例を示したが、無線通信インタフェース８５５は単一のＢＢプロセッサ８５６を含んでもよい。
【０１９８】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１９９】
また、ＲＲＨ８６０は、接続インタフェース８６１及び無線通信インタフェース８６３を備える。
【０２００】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２０１】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２６に示したように複数のＲＦ回路８６４を含み、複数のＲＦ回路８６４は、例えば複数のアンテナ素子にそれぞれ対応してもよい。なお、図２６には無線通信インタフェース８６３が複数のＲＦ回路８６４を含む例を示したが、無線通信インタフェース８６３は単一のＲＦ回路８６４を含んでもよい。
【０２０２】
図２６に示したｅＮＢ８３０において、図１１を参照して説明した処理部１５０に含まれる１つ以上の構成要素（コードワード生成部１５１、調整部１５３、情報取得部１５５及び／又は通知部１５７）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。これらの点については、図２２を参照して説明した情報取得部１６１及び／又は通知部１６３も、上記１つ以上の構成要素（コードワード生成部１５１、調整部１５３、情報取得部１５５及び／又は通知部１５７）と同じである。
【０２０３】
また、図２６に示したｅＮＢ８３０において、例えば、図１１を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。
【０２０４】
＜５．２．端末装置に関する応用例＞
（第１の応用例）
図２７は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２０５】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２０６】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２０７】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２７に示したように複数のＢＢプロセッサ９１３及び複数のＲＦ回路９１４を含んでもよい。なお、図２７には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２０８】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２０９】
アンテナスイッチ９１５の各々は、無線通信インタフェース９１２に含まれる複数の回路（例えば、異なる無線通信方式のための回路）の間でアンテナ９１６の接続先を切り替える。
【０２１０】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２７に示したように複数のアンテナ９１６を有してもよい。なお、図２７にはスマートフォン９００が複数のアンテナ９１６を有する例を示したが、スマートフォン９００は単一のアンテナ９１６を有してもよい。
【０２１１】
さらに、スマートフォン９００は、無線通信方式ごとにアンテナ９１６を備えてもよい。その場合に、アンテナスイッチ９１５は、スマートフォン９００の構成から省略されてもよい。
【０２１２】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２７に示したスマートフォン９００の各ブロックへ電力を供給する。補助コントローラ９１９は、例えば、スリープモードにおいて、スマートフォン９００の必要最低限の機能を動作させる。
【０２１３】
図２７に示したスマートフォン９００において、図１２を参照して説明した情報取得部２４１及び／又は制御部２４３は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて情報取得部２４１及び／又は制御部２４３が実装されてもよい。この場合に、上記モジュールは、プロセッサを情報取得部２４１及び／又は制御部２４３として機能させるためのプログラム（換言すると、プロセッサに情報取得部２４１及び／又は制御部２４３の動作を実行させるためのプログラム）を記憶し、当該プログラムを実行してもよい。別の例として、プロセッサを情報取得部２４１及び／又は制御部２４３として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、情報取得部２４１及び／又は制御部２４３を備える装置としてスマートフォン９００又は上記モジュールが提供されてもよく、プロセッサを情報取得部２４１及び／又は制御部２４３として機能させるためのプログラムが提供されてもよい。また、上記プログラムを記録した読み取り可能な記録媒体が提供されてもよい。これらの点については、図２３を参照して説明した処理部２５０に含まれる１つ以上の構成要素（情報取得部２５１、コードワード生成部２５３及び／又は調整部２５５）も、情報取得部２４１及び／又は制御部２４３と同じである。
【０２１４】
また、図２７に示したスマートフォン９００において、例えば、図１２を参照して説明した無線通信部２２０は、無線通信インタフェース９１２（例えば、ＲＦ回路９１４）において実装されてもよい。また、アンテナ部２１０は、アンテナ９１６において実装されてもよい。
【０２１５】
（第２の応用例）
図２８は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２１６】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２１７】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２１８】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２１９】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２８に示したように複数のＢＢプロセッサ９３４及び複数のＲＦ回路９３５を含んでもよい。なお、図２８には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２２０】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２２１】
アンテナスイッチ９３６の各々は、無線通信インタフェース９３３に含まれる複数の回路（例えば、異なる無線通信方式のための回路）の間でアンテナ９３７の接続先を切り替える。
【０２２２】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２８に示したように複数のアンテナ９３７を有してもよい。なお、図２８にはカーナビゲーション装置９２０が複数のアンテナ９３７を有する例を示したが、カーナビゲーション装置９２０は単一のアンテナ９３７を有してもよい。
【０２２３】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２２４】
バッテリー９３８は、図中に破線で部分的に示した給電ラインを介して、図２８に示したカーナビゲーション装置９２０の各ブロックへ電力を供給する。また、バッテリー９３８は、車両側から給電される電力を蓄積する。
【０２２５】
図２８に示したカーナビゲーション装置９２０において、図１２を参照して説明した情報取得部２４１及び／又は制御部２４３は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて情報取得部２４１及び／又は制御部２４３が実装されてもよい。この場合に、上記モジュールは、プロセッサを情報取得部２４１及び／又は制御部２４３として機能させるためのプログラム（換言すると、プロセッサに情報取得部２４１及び／又は制御部２４３の動作を実行させるためのプログラム）を記憶し、当該プログラムを実行してもよい。別の例として、プロセッサを情報取得部２４１及び／又は制御部２４３として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、情報取得部２４１及び／又は制御部２４３を備える装置としてカーナビゲーション装置９２０又は上記モジュールが提供されてもよく、プロセッサを情報取得部２４１及び／又は制御部２４３として機能させるためのプログラムが提供されてもよい。また、上記プログラムを記録した読み取り可能な記録媒体が提供されてもよい。これらの点については、図２３を参照して説明した処理部２５０に含まれる１つ以上の構成要素（情報取得部２５１、コードワード生成部２５３及び／又は調整部２５５）も、情報取得部２４１及び／又は制御部２４３と同じである。
【０２２６】
また、図２８に示したカーナビゲーション装置９２０において、例えば、図１２を参照して説明した無線通信部２２０は、無線通信インタフェース９３３（例えば、ＲＦ回路９３５）において実装されてもよい。また、アンテナ部２１０は、アンテナ９３７において実装されてもよい。
【０２２７】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、情報取得部２４１及び／又は制御部２４３（あるいは、情報取得部２５１、コードワード生成部２５３及び／又は調整部２５５）を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０２２８】
＜＜６．まとめ＞＞
ここまで、図９〜図２８を参照して、本開示の実施形態に係る装置及び各処理を説明した。
【０２２９】
第１の実施形態によれば、基地局１００は、コードブックを用いた非直交多重化の対象となる複数のレイヤの各々について、レイヤのためのコードブックに基づいて、当該レイヤのデータから当該レイヤのコードワードを生成するコードワード生成部１５１と、上記複数のレイヤのコードワードの多重化により得られる多重化コードワード内の信号要素の送信に使用される無線リソースの調整を行う調整部１５３と、を備える。
【０２３０】
第２の実施形態によれば、端末装置２００は、コードブックを用いた非直交多重化の対象となるレイヤのためのコードブックに基づいて、当該レイヤのデータから当該レイヤのコードワードを生成するコードワード生成部２５３と、上記コードワード内の信号要素の送信に使用される無線リソースの調整を行う調整部２５５と、を備える装置。
【０２３１】
これにより、例えば、コードブックを用いた非直交多重化が用いられる場合により良好に通信を行うことが可能になる。より具体的には、例えば、コードブックを変更することなく、フェージングによる特定のレイヤへの影響の集中が回避され、特定のレイヤにおける通信品質の低下が抑えられる。その結果、特定のレイヤのデータの再送が少なくなり、伝送遅延の増大及び／又はスループットの低下などが抑えられ得る。
【０２３２】
以上、添付図面を参照しながら本開示の好適な実施形態を説明したが、本開示は係る例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。
【０２３３】
例えば、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０２３４】
また、本明細書の装置（例えば、基地局、基地局装置若しくは基地局装置のためのモジュール、又は、端末装置若しくは端末装置のためのモジュール）に備えられるプロセッサ（例えば、ＣＰＵ、ＤＳＰなど）を上記装置の構成要素（例えば、コードワード生成部、調整部、情報取得部、通知部、及び／又は制御部など）として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、基地局、基地局装置若しくは基地局装置のためのモジュール、又は、端末装置若しくは端末装置のためのモジュール）も提供されてもよい。また、上記装置の構成要素（例えば、コードワード生成部、調整部、情報取得部、通知部、及び／又は制御部など）の動作を含む方法も、本開示に係る技術に含まれる。
【０２３５】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０２３６】
なお、以下のような構成も本開示の技術的範囲に属する。
（１）
コードブックを用いた非直交多重化の対象となる複数のレイヤの各々について、レイヤのためのコードブックに基づいて、当該レイヤのデータから当該レイヤのコードワードを生成する生成部と、
前記複数のレイヤのコードワードの多重化により得られる多重化コードワード内の信号要素の送信に使用される無線リソースの調整を行う調整部と、
を備える装置。
（２）
前記調整は、複数のレイヤのコードワードからそれぞれ生成される１つ以上の多重化コードワード内の少なくとも２つの信号要素の間で、送信に使用される無線リソースを交換することを含む、前記（１）に記載の装置。
（３）
前記１つ以上の多重化コードワードは、２つ以上の多重化コードワードである、前記（２）に記載の装置。
（４）
前記１つ以上の多重化コードワードは、単一の多重化コードワードである、前記（２）に記載の装置。
（５）
前記調整は、巡回シフトにより、前記少なくとも２つの信号要素の間で、送信に使用される前記無線リソースを交換することを含む、前記（２）〜（４）のいずれか１項に記載の装置。
（６）
前記調整は、インターリーブパターンに従って、前記少なくとも２つの信号要素の間で、送信に使用される前記無線リソースを交換することを含む、前記（２）〜（５）のいずれか１項に記載の装置。
（７）
前記インターリーブパターンを端末装置に通知する通知部をさらに備える、前記（６）に記載の装置。
（８）
前記無線リソースは、周波数リソースである、前記（１）〜（７）のいずれか１項に記載の装置。
（９）
前記周波数リソースは、サブキャリアである、前記（８）に記載の装置。
（１０）
前記無線リソースは、時間リソースである、前記（１）〜（７）のいずれか１項に記載の装置。
（１１）
前記時間リソースは、シンボル、スロット、サブフレーム又は無線フレームである、前記（１０）に記載の装置。
（１２）
前記調整部は、時間方向において動的に又は準静的に前記調整を行う、前記（１）〜（１１）のいずれか１項に記載の装置。
（１３）
前記調整部は、所定の周期で前記調整を行う、前記（１２）に記載の装置。
（１４）
前記調整部は、チャネル特性に基づいて前記調整を行う、前記（１２）又は（１３）に記載の装置。
（１５）
前記調整部は、前記複数のレイヤに含まれるレイヤの数が所定数を超える場合に、前記調整を行う、前記（１２）〜（１４）のいずれか１項に記載の装置。
（１６）
前記調整部は、コードワードの所定の組合せが前記複数のコードワードに含まれる場合に、前記調整を行う、前記（１）〜（１５）のいずれか１項に記載の装置。
（１７）
前記調整に関する情報を端末装置に通知する通知部をさらに備える、前記（１）〜（１６）のいずれか１項に記載の装置。
（１８）
プロセッサにより、
コードブックを用いた非直交多重化の対象となる複数のレイヤの各々について、レイヤのためのコードブックに基づいて、当該レイヤのデータから当該レイヤのコードワードを生成することと、
前記複数のレイヤのコードワードの多重化により得られる多重化コードワード内の信号要素の送信に使用される無線リソースの調整を行うことと、
を含む方法。
（１９）
複数のレイヤのコードワードの多重化により得られる多重化コードワード内の信号要素の送信に使用される無線リソースの調整に関する情報を取得する取得部と、
前記情報に基づいて、端末装置における受信処理を行う制御部と、
を備え、
前記複数のレイヤは、コードブックを用いた非直交多重化の対象となるレイヤであり、
前記複数のレイヤの前記コードワードの各々は、レイヤのためのコードブックに基づいて当該レイヤのデータから生成されるコードワードである、
装置。
（２０）
コードブックを用いた非直交多重化の対象となるレイヤのためのコードブックに基づいて、当該レイヤのデータから当該レイヤのコードワードを生成する生成部と、
前記コードワード内の信号要素の送信に使用される無線リソースの調整を行う調整部と、
を備える装置。
（２１）
コードブックを用いた非直交多重化の対象となる複数のレイヤの各々について、レイヤのためのコードブックに基づいて、当該レイヤのデータから当該レイヤのコードワードを生成することと、
前記複数のレイヤのコードワードの多重化により得られる多重化コードワード内の信号要素の送信に使用される無線リソースの調整を行うことと、
をプロセッサに実行させるためのプログラム。
（２２）
コードブックを用いた非直交多重化の対象となる複数のレイヤの各々について、レイヤのためのコードブックに基づいて、当該レイヤのデータから当該レイヤのコードワードを生成することと、
前記複数のレイヤのコードワードの多重化により得られる多重化コードワード内の信号要素の送信に使用される無線リソースの調整を行うことと、
をプロセッサに実行させるためのプログラムを記録した読み取り可能な記録媒体。

（２３）
プロセッサにより、
複数のレイヤのコードワードの多重化により得られる多重化コードワード内の信号要素の送信に使用される無線リソースの調整に関する情報を取得することと、
前記情報に基づいて、端末装置における受信処理を行うことと、
を含み、
前記複数のレイヤは、コードブックを用いた非直交多重化の対象となるレイヤであり、
前記複数のレイヤの前記コードワードの各々は、レイヤのためのコードブックに基づいて当該レイヤのデータから生成されるコードワードである、
方法。
（２４）
複数のレイヤのコードワードの多重化により得られる多重化コードワード内の信号要素の送信に使用される無線リソースの調整に関する情報を取得することと、
前記情報に基づいて、端末装置における受信処理を行うことと、
をプロセッサに実行させるためのプログラムであり、
前記複数のレイヤは、コードブックを用いた非直交多重化の対象となるレイヤであり、
前記複数のレイヤの前記コードワードの各々は、レイヤのためのコードブックに基づいて当該レイヤのデータから生成されるコードワードである、
プログラム。
（２５）
複数のレイヤのコードワードの多重化により得られる多重化コードワード内の信号要素の送信に使用される無線リソースの調整に関する情報を取得することと、
前記情報に基づいて、端末装置における受信処理を行うことと、
をプロセッサに実行させるためのプログラムを記録した読み取り可能な記録媒体であり、
前記複数のレイヤは、コードブックを用いた非直交多重化の対象となるレイヤであり、
前記複数のレイヤの前記コードワードの各々は、レイヤのためのコードブックに基づいて当該レイヤのデータから生成されるコードワードである、
記録媒体。
（２６）
プロセッサにより、
コードブックを用いた非直交多重化の対象となるレイヤのためのコードブックに基づいて、当該レイヤのデータから当該レイヤのコードワードを生成することと、
前記コードワード内の信号要素の送信に使用される無線リソースの調整を行うことと、
を含む方法。
（２７）
コードブックを用いた非直交多重化の対象となるレイヤのためのコードブックに基づいて、当該レイヤのデータから当該レイヤのコードワードを生成することと、
前記コードワード内の信号要素の送信に使用される無線リソースの調整を行うことと、
をプロセッサに実行させるためのプログラム。
（２８）
コードブックを用いた非直交多重化の対象となるレイヤのためのコードブックに基づいて、当該レイヤのデータから当該レイヤのコードワードを生成することと、
前記コードワード内の信号要素の送信に使用される無線リソースの調整を行うことと、
をプロセッサに実行させるためのプログラムを記録した読み取り可能な記録媒体。
【符号の説明】
【０２３７】
１              システム
１０            ブロック
１００          基地局
１０１          セル
１５１          コードワード生成部
１５３          調整部
１５５、１６１  情報取得部
１５７、１６３  通知部
２００          基地局
２４１、２５１  情報取得部
２４３          制御部
２５３          コードワード生成部
２５５          調整部
【図１】
2016098413.tif 000005
【図２】
2016098413.tif 000006
【図３】
2016098413.tif 000007
【図４】
2016098413.tif 000008
【図５】
2016098413.tif 000009
【図６】
2016098413.tif 000010
【図７】
2016098413.tif 000011
【図８】
2016098413.tif 000012
【図９】
2016098413.tif 000013
【図１０】
2016098413.tif 000014
【図１１】
2016098413.tif 000015
【図１２】
2016098413.tif 000016
【図１３】
2016098413.tif 000017
【図１４】
2016098413.tif 000018
【図１５】
2016098413.tif 000019
【図１６】
2016098413.tif 000020
【図１７】
2016098413.tif 000021
【図１８】
2016098413.tif 000022
【図１９】
2016098413.tif 000023
【図２０】
2016098413.tif 000024
【図２１】
2016098413.tif 000025
【図２２】
2016098413.tif 000026
【図２３】
2016098413.tif 000027
【図２４】
2016098413.tif 000028
【図２５】
2016098413.tif 000029
【図２６】
2016098413.tif 000030
【図２７】
2016098413.tif 000031
【図２８】
2016098413.tif 000032
【国際調査報告】
2016098413.tif 000033
2016098413.tif 000034